(57)【要約】【課題】  装着したとき、表示部の姿勢が視線に対して適当な姿勢となるようなヘッドマウントディスプレイを提供する。【解決手段】  ヘッドマウントディスプレイ１は、保持部２、ディスプレイアーム３、表示部４、耳当て部５、連結部６を主要部として構成されている。連結部６に保持部２が取付部材７により取り付けられるようになっている。この場合、取付部材７が取付部に相当する。表示部４はディスプレイアーム３の先端部に取り付けられており、ディスプレイアーム３の後部は、保持部２に連結されている。耳当て部５は連結部６に固定されて、連結部６の弾性付勢力により、装着者の耳を押さえつけるようにされている。取付部材７の位置は、耳当て部５の中心位置より、装着時において上方となるような位置とされている。【選択図】  図１
2006157330.tif 000002
【特許請求の範囲】
【請求項１】
左右のスピーカが連結部により連結されたヘッドホーンと、当該ヘッドホーンの一部に支持された、表示部を有するディスプレイ部とを有するヘッドマウントディスプレイであって、前記ディスプレイ部は、取付部により前記ヘッドホーンに取り付けられ、前記ディスプレイ部の前記ヘッドホーンへの取り付け位置が、前記スピーカの中心より上方にあることを特徴とするヘッドマウントディスプレイ。
【請求項２】
請求項１に記載のヘッドマウントディスプレイであって、前記取付部は、前記ヘッドホーンに固定された固定部と、前記ディスプレイ部を取り付けた可動部を有し、前記可動部は前記固定部に対して回動可能とされ、前記ディスプレイ部は、前記可動部に、前記回動の回動中心から離れた位置に取り付けられていることを特徴とするヘッドマウントディスプレイ。
【請求項３】
請求項２に記載のヘッドマウントディスプレイであって、前記ディスプレイ部は、前記可動部に、前記可動部に対して回動可能に取り付けられていることを特徴とするヘッドマウントディスプレイ。
【請求項４】
請求項２又は請求項３に記載のヘッドマウントディスプレイであって、前記耳当て部が前記固定部であることを特徴とするヘッドマウントディスプレイ。
【発明の詳細な説明】
【技術分野】
【０００１】
本発明は、頭部に装着され、装着者の目に映像を表示する機能を有するヘッドマウントディスプレイに関するものである。
【背景技術】
【０００２】
近年、液晶パネル（ＬＣＤ）等の標示デバイス上に表示された映像を、接眼レンズやハーフミラー等を有する光学系を介して拡大した虚像として観察する眼鏡タイプ等、人体に装着して使用される映像表示装置が種々提案され、ウエアラブルディスプレイと呼ばれている。そのうち、頭部に装着して使用されるものは、特にヘッドマウントディスプレイと呼ばれている。
【０００３】
ヘッドマウントディスプレイは、多くの場合、頭に巻いた形で頭部に装着する構成とされ、両目に対応する位置に映像表示系を形成した両目タイプと左右目の一方の目に対応する位置に映像表示系を形成した片目タイプとがある。このうち、両目タイプのものは、主として映像を楽しむための目的に使用される。片目タイプのものは、例えばウエアラブルパソコン等の表示装置等や、作業者に指示を表示する表示装置としての使用方法が期待されている。その例として、特開平８−３０５２９８号公報（特許文献１）、特開２００４−２０７８４７号公報（特許文献２）に記載されるような方式のものが公知となっている。
【０００４】
このようなヘッドマウントディスプレイの概要を図５に示す。ヘッドマウントディスプレイ２１は、収納部２２、ディスプレイアーム２３、表示部２４、耳当て部２５、連結部２６を主要部として構成されている。連結部２６に収納部２２が取付部２７により取り付けられるようになっている。又、収納部２２には、制御部（図示せず）からの画像信号、音声信号、及び必要な制御信号が、ケーブル２８を通して入力されている。耳当て部２５の中にはヘッドホーンが組み込まれており、装着者の両耳に音声信号を出力する。
【０００５】
表示部２４はディスプレイアーム２３の先端部に取り付けられており、ディスプレイアーム２３の後部は、収納部２２中の中空部に収納され、装着者の頭部の形状に合わせて伸縮可能なようになっている。耳当て部２５は連結部２６に固定されて、連結部２６の弾性付勢力により、装着者の耳を押さえつけるようにされている。
【０００６】
画像を観察するときは、図に示すように表示部２４を収納部２２から引き出して装着者の眼前に位置させて画像を観察する。画像を観察しないときは、図に示す位置からディスプレイアーム２３を収納部２２に押し込み、表示部２４を顔の側面に移動させる。
【０００７】
【特許文献１】特開平８−３０５２９８号公報
【特許文献２】特開２００４−２０７８４７号公報
【発明の開示】
【発明が解決しようとする課題】
【０００８】
しかしながら、図５に示すようなヘッドマウントディスプレイ２１においては、表示部２４、ディスプレイアーム２３が耳当て部２５の中心と同じレベルにあるので、装着した場合に、画面が見づらいという問題点がある。すなわち、通常耳当て部２５の中心は耳の中心に位置するように装着されるが、通常、耳の中心位置より視線の方が上にあるので、ヘッドマウントディスプレイ本体２１の装着時には、図６に示すように、収納部２２、ディスプレイアーム２３、表示部２４が斜め前方上向きとなるように装着される。よって、表示部２４の姿勢が視線に対して斜めになってしまい映像が見づらくなる。これを是正するためには、図６に２４’で示すように表示部２４の姿勢を変える必要があるが、その分機構が複雑になるという問題点がある。
【０００９】
本発明はこのような事情に鑑みてなされたもので、装着したとき、表示部の姿勢が視線に対して適当な姿勢となるようなヘッドマウントディスプレイを提供することを課題とする。
【課題を解決するための手段】
【００１０】
前記課題を解決するための第１の手段は、左右のスピーカが連結部により連結されたヘッドホーンと、当該ヘッドホーンの一部に支持された、表示部を有するディスプレイ部とを有するヘッドマウントディスプレイであって、前記ディスプレイ部は、取付部により前記ヘッドホーンに取り付けられ、前記ディスプレイ部の前記ヘッドホーンへの取り付け位置が、前記スピーカの中心より上方にあることを特徴とするヘッドマウントディスプレイ（請求項１）である。
【００１１】
本手段においては、ディスプレイ部のヘッドホーンへの取り付け位置が、スピーカの中心より上方にあるので、耳当て部を耳に当ててヘッドホーンを装着したとき、ディスプレイ部が耳の中心位置より上方に位置するようになる。よって、ディスプレイ部を略水平にして装着した場合に、表示部がちょうど目の高さに来るようになり、自然な形で映像を観察することができる。
【００１２】
前記課題を解決するための第２の手段は、前記第１の手段であって、前記取付部は、前記ヘッドホーンに固定された固定部と、前記ディスプレイ部を取り付けた可動部を有し、前記可動部は前記固定部に対して回動可能とされ、前記ディスプレイ部は、前記可動部に、前記回動の回動中心から離れた位置に取り付けられていることを特徴とするもの（請求項２）である。
【００１３】
本手段においては、可動部を固定部に対して回動することにより、ディスプレイ部が回動すると共に、表示部が前後に移動する。よって、目と表示部の間隔を調整することができる。
【００１４】
前記課題を解決するための第３の手段は、前記第２の手段であって、前記ディスプレイ部は、前記可動部に、前記可動部に対して回動可能に取り付けられていることを特徴とするもの（請求項３）である。
【００１５】
本手段は、ディスプレイ部は、可動部に、可動部に対して回動可能に取り付けられているので、可動部を回動させて表示部と目の間隔を調整した後、ディスプレイ部を回動させて、視線の位置と表示部の姿勢を合わせることができる。
【００１６】
前記課題を解決するための第４の手段は、前記第２の手段又は第３の手段であって、前記耳当て部が前記固定部であることを特徴とするもの（請求項４）である。
【００１７】
可動部の回動の中心となる固定部を耳当て部とすることにより、ディスプレイ部の取付が簡単になる。
【発明の効果】
【００１８】
本発明によれば、装着したとき、表示部の姿勢が視線に対して適当な姿勢となるようなヘッドマウントディスプレイを提供することができる。
【発明を実施するための最良の形態】
【００１９】
以下、本発明の実施の形態の例を、図を用いて説明する。図１は、本発明の実施の形態の第１の例であるヘッドマウントディスプレイの概要を示す図である。ヘッドマウントディスプレイ１は、保持部２、ディスプレイアーム３、表示部４、スピーカ５、連結部６を主要部として構成されている。そして、左右のスピーカ５は、連結部６に固定されており、ヘッドホーンを構成する。又、スピーカ５に保持部２が取付部材７により取り付けられるようになっている。この場合、取付部材７が取付部に相当する。
【００２０】
表示部４はディスプレイアーム３の先端部に取り付けられており、ディスプレイアーム３の後部は、保持部２に連結されている。又、スピーカ５には図示していない耳当てを有し、連結部６の弾性付勢力により、装着者の耳を押さえつけるようにされている。
【００２１】
装着時には、耳当てを耳に対して自然に落ち着くような位置に装着すると、スピーカ５の中心が実質的に耳の穴の位置に来るようになっている。なお、耳当て部の装着者との接触部分は、装着者の耳の穴の外周部の全域に当たっているものに限らず、側頭部に安定して装着できるものであればよい。
【００２２】
取り付け部材７はスピーカ５の外周部分に設けられ、取付部材７の位置は、スピーカ５の中心位置より、装着時において上方となるような位置とされている。
【００２３】
このヘッドマウントディスプレイ１を装着した様子を図２に示す。なお、以下の図において、本欄における前出の図に示された構成要素と同じ構成要素には、同じ符号を付して、その説明を省略する。
【００２４】
保持部２、ディスプレイアーム３、表示部４を水平にしたとき、表示部４が目の高さに来るようになり、自然な形で映像を観察可能である。この場合は、ディスプレイアーム３を保持部２に対して前後に移動可能にし、目と表示部４の間隔を調整できるようにしてもよい。
【００２５】
図３は、本発明の実施の形態の第２の例であるヘッドマウントディスプレイの概要を示す図である。
【００２６】
この実施の形態は、図１に示された実施の形態とほぼ同じであるが、スピーカ５が固定部となり、これに対して、スピーカ５の外装部分に、回動可能な可動部８が設けられ、この可動部８に取付部材７が取り付けられている点が異なっている。そして、可動部８の回動中心と、取付部材７の中心位置が離れている。この場合は、固定部であるスピーカ５、可動部８、取付部材７が取付部に相当する。
【００２７】
よって、可動部８を回転させたとき、保持部２、ディスプレイアーム３、表示部４が回動中心の周りに、回動中心から離れて回動するので、表示部４の前後位置も変化し、それにより目と表示部４との間の距離を変化させることができる。なお、図３に示す例においては、可動部８を手で回動させやすいように、可動部８の周りに凹凸８ａが設けられている。
【００２８】
図４は、本発明の実施の形態の第３の例であるヘッドマウントディスプレイの概要を示す図である。図４に示す実施の形態は、図３に示すものと殆ど同じであり、取付部材７が可動部８に対して回動可能となっている。図３に示すものにおいては、可動部８を回動させることにより目と表示部４との間の距離を変化させることができるが、この変化に伴って保持部２、ディスプレイアーム３、表示部４の姿勢が変化し、水平で無くなってしまう。このような点が問題になるときは、図４に示すような構造とすることにより解決できる。
【００２９】
すなわち、可動部８の回動に伴う保持部２、ディスプレイアーム３、表示部４の姿勢の変化を取付部材７、可動部８に対して回動させることにより補正することができる。なお、図４に示すものにおいては、可動部８を回動させやすいようにするために、可動部８にディンプル状の指かけ部９が設けられている。この指かけ部９に指をかけて、可動部８を回動させる。取付部材７の回動は、保持部２、ディスプレイアーム３、表示部４のいずれかを手で持って、これらを回動させることにより行う。
【図面の簡単な説明】
【００３０】
【図１】本発明の実施の形態の第１の例であるヘッドマウントディスプレイの概要を示す図である。
【図２】図１に示すヘッドマウントディスプレイを装着した様子を示す図である。
【図３】本発明の実施の形態の第２の例であるヘッドマウントディスプレイの概要を示す図である。
【図４】本発明の実施の形態の第３の例であるヘッドマウントディスプレイの概要を示す図である。
【図５】従来のヘッドマウントディスプレイの概要を示す図である。
【図６】図５に示すヘッドマウントディスプレイを装着した様子を示す図である。
【符号の説明】
【００３１】
１…ヘッドマウントディスプレイ、２…保持部、３…ディスプレイアーム、４…表示部、５…スピーカ、６…連結部、７…取付部材、８…可動部、８ａ…凹凸、９…指かけ部
【図１】
2006157330.tif 000003
【図２】
2006157330.tif 000004
【図３】
2006157330.tif 000005
【図４】
2006157330.tif 000006
【図５】
2006157330.tif 000007
【図６】
2006157330.tif 000008